(57)【要約】【課題】  ＰＬＣ機能付きゲートウェイ装置及びＩＰ網を介してファクシミリ通信を行う場合であっても、ファクシミリ通信の通信手順を適正に継続することができる。【解決手段】  ファクシミリ装置２０の主制御部１は、相手先のファクシミリ装置２０Ａに対する発呼処理においてＩＰ網５０側から受信される情報信号に基づいて、相手先のファクシミリ装置２０ＡがＩＰ網５０経由で接続されるか否かを判断し、ＩＰ網５０経由で接続されると判断したとき（図５のステップＳ３でＹＥＳ）、Ｖ．３４モードのファクシミリ送信処理を無効に設定し（ステップＳ７）、Ｖ．３４モードのファクシミリ送信処理よりも低速の所定のモードのファクシミリ送信処理を実行する（ステップＳ８）。【選択図】  図５
2007043420.tif 000002
【特許請求の範囲】
【請求項１】
ＩＴＵ−Ｔ勧告のＶ．３４モードでファクシミリ通信を行うことができるファクシミリ装置において、
相手先のファクシミリ装置に対する発呼処理において網側から受信される情報信号に基づいて、上記相手先のファクシミリ装置がＩＰ網経由で接続されるか否かを判断し、ＩＰ網経由で接続されると判断したとき、上記Ｖ．３４モードのファクシミリ送信処理を無効に設定し、上記Ｖ．３４モードのファクシミリ送信処理よりも低速のモードのファクシミリ送信処理を実行するように制御する制御手段を備えたことを特徴とするファクシミリ装置。
【請求項２】
宛先毎にファクシミリ通信の通信開始速度を含む通信履歴テーブルを記憶する記憶手段をさらに備え、
上記制御手段は、上記ファクシミリ送信処理において、画像データの送信前の通信速度が画像データの送信後の通信速度よりも遅いときは、画像データの送信後の通信速度を上記通信開始速度として上記通信履歴テーブルに記憶した後、次のファクシミリ送信処理において当該通信履歴テーブルに記憶された通信開始速度を用いてファクシミリ通信を行うことを特徴とする請求項１記載のファクシミリ装置。
【請求項３】
上記発呼処理において網側から受信される情報信号は、上記ＩＰ網に接続されたＳＩＰ（Session Initiation Protocol）サーバ装置から送出される情報信号であることを特徴とする請求項１又は２記載のファクシミリ装置。
【請求項４】
上記ファクシミリ装置は、上記ＩＰ網に接続されたターミナルアダプタ装置又はゲートウェイ装置に接続されるインターフェース回路をさらに備え、
上記制御手段は、上記発呼処理において網側から受信される情報信号を、上記ＩＰ網に接続されたターミナルアダプタ装置又はゲートウェイ装置から、上記インターフェース回路を介して受信することを特徴とする請求項１乃至３のうちのいずれか１つに記載のファクシミリ装置。
【請求項５】
上記インターフェース回路は、ＬＡＮインターフェース回路であることを特徴とする請求項４記載のファクシミリ装置。
【発明の詳細な説明】
【技術分野】
【０００１】
本発明は、相手先のファクシミリ装置と、例えばＩＰ網を介してファクシミリ通信を行うためのファクシミリ装置に関する。
【背景技術】
【０００２】
従来技術において、対向する１対のファクシミリ装置間で、例えばＲＴＰ、ＵＤＰ又はＩＰのプロトコルを用いて通信を行うＩＰ網５０を介して接続されてファクシミリ通信が行われている。図２はファクシミリ装置２０が公衆電話網３０及びＩＰ網５０を介して相手先のファクシミリ装置２０Ａに接続されているときの回線構成図である。
【０００３】
図２において、ファクシミリ装置２０のＮＣＵ（ネットワーク制御回路：Network Control Unit）１１は公衆電話網３０を介してＰＬＣ機能付きメディアゲートウェイ装置４０のＮＣＵ４１に接続される。ここで、ＰＬＣとはPacket Loss Concealmentの略であり、非特許文献１において規定され、例えば「パケットロス補正」と訳されており、当該ＰＬＣ機能とは、パケットロスが発生したときに、パケットロス時のフレームの信号波形を直前のフレームの信号波形と相似な信号波形であってその信号レベルを順次１／２ずつ減少させた信号波形で置き換えるようにＩＰ電話の信号波形を補正するものである。メディアゲートウェイ装置４０はアナログ信号とデジタル信号の相互変換を行う装置であり、メディアゲートウェイ装置４０はルータ装置５１、ＩＰ網５０及びルータ装置５２を介してＶｏＩＰターミナルアダプタ装置（ＶｏＩＰゲートウェイ装置ともいう。）６０に接続される。
【０００４】
ここで、ＩＰ網５０には、ＳＩＰサーバ装置５３及びロケーションサーバ装置５４が接続され、これらの装置５３，５４を用いて、例えばＳＩＰの通信手順に沿って呼制御を行うことができる（例えば、非特許文献２参照。）。また、ＶｏＩＰターミナルアダプタ装置６０もメディアゲートウェイ装置４０と同様にアナログ信号とデジタル信号の相互変換を行う装置である。さらに、ＶｏＩＰターミナルアダプタ装置６０のＮＣＵ５１と相手先のファクシミリ装置２０ＡのＮＣＵ１１Ａとが接続されている。すなわち、対向する１対のファクシミリ装置２０，２０Ａにより公衆電話網３０及びＩＰ網５０を介してファクシミリ通信は、２つのゲートウェイ装置４０，６０により信号変換されて実行される。
【０００５】
上述のように、ＩＰ網を介してファクシミリ画像通信を実行する場合、モデムのデータ速度やシンボルレートが高い場合、通信エラーが頻発するという問題点があった。
【０００６】
上記問題点を解決するために、例えば、特許文献１においては、ファクシミリ装置の主制御部は、ダイヤルする電話番号の先頭の「０５０」（ＩＰ電話の識別番号）を検出したか否かに基づいて相手方のファクシミリ装置がＩＰ電話網に接続されているか否かを検出し、相手方のファクシミリ装置がＩＰ電話網に接続されていることを検出したとき、ハイスピードフラグをオフにし、このとき、ファックスモデム１０の最大データ速度を９６００ｂｐｓに設定し、かつ上記モデムの最大シンボルレートを２４００ボーに設定するようにファックスモデム１０を制御する。
【０００７】
【特許文献１】特開２００５−１３００３６号公報。
【非特許文献１】ITU-T(Telecommunication Standardization Sector of ITU), G. 711, Appendix 1, (09/99), Series G: Transmission Systems and Media, Digital Systems and Networks, Digital transmission systems - Terminal Equipments - Coding of Analogue Signals by Pulse Code Modulation, Pulse Code Modulation (PCM) of Voice Frequencies, Appendix 1: A High Quality Low-Complexity Algorithm for Packet Loss Concealment with G. 711, pp.1-19, September 1999.
【非特許文献２】J. Rosenberg et al., Request for Comments: 3261, Obsoletes: 2543, Category: Standard Track, "SIP: Session Initiation Protocol", Network Group, The internet Society, June 2002.
【発明の開示】
【発明が解決しようとする課題】
【０００８】
しかしながら、図２のメディアゲートウェイ装置４０に設けられたＰＬＣはＩＰ電話（音声通話）用の技術であり、ファクシミリ通信のモデム信号に対しては不都合であり、具体的には、ＰＬＣが働くと、上述のように、別のフレームの波形信号で置き換えるために、ファクシミリモデムが正常なファクシミリ通信のモデム信号を受信できず、ファクシミリ通信の手順信号を相互に送受信できず、ファクシミリ通信を実行できない場合が多発している。特に、ＩＴＵ−Ｔ勧告のＶ．３４モードでのファクシミリ送信では、データ送信速度が速いために、１パケットのロスで大きな影響を受ける。
【０００９】
また、昨今、従来の公衆電話網での電話番号をいわゆる「ポータビリティ」サービスにより、０ＡＢ〜Ｊ番号体系でＩＰ電話を提供することができるので、発呼する電話番号のみでは、相手先のファクシミリ装置が公衆電話網に接続されているか、ＩＰ網に接続されているかを判別することができないという問題点があった。
【００１０】
本発明の目的は以上の問題点を解決し、ＰＬＣ機能付きゲートウェイ装置及びＩＰ網を介してファクシミリ通信を行う場合であっても、相手先がＩＰ網を介して接続されていることを確認でき、しかもファクシミリ通信の通信手順を継続することができるファクシミリ装置を提供することにある。
【課題を解決するための手段】
【００１１】
本発明に係るファクシミリ装置は、ＩＴＵ−Ｔ勧告のＶ．３４モードでファクシミリ通信を行うことができるファクシミリ装置において、
相手先のファクシミリ装置に対する発呼処理において網側から受信される情報信号に基づいて、上記相手先のファクシミリ装置がＩＰ網経由で接続されるか否かを判断し、ＩＰ網経由で接続されると判断したとき、上記Ｖ．３４モードのファクシミリ送信処理を無効に設定し、上記Ｖ．３４モードのファクシミリ送信処理よりも低速のモードのファクシミリ送信処理を実行するように制御する制御手段を備えたことを特徴とする。
【００１２】
上記ファクシミリ装置において、宛先毎にファクシミリ通信の通信開始速度を含む通信履歴テーブルを記憶する記憶手段をさらに備え、
上記制御手段は、上記ファクシミリ送信処理において、画像データの送信前の通信速度が画像データの送信後の通信速度よりも遅いときは、画像データの送信後の通信速度を上記通信開始速度として上記通信履歴テーブルに記憶した後、次のファクシミリ送信処理において当該通信履歴テーブルに記憶された通信開始速度を用いてファクシミリ通信を行うことを特徴とする。
【００１３】
また、上記ファクシミリ装置において、上記発呼処理において網側から受信される情報信号は、上記ＩＰ網に接続されたＳＩＰ（Session Initiation Protocol）サーバ装置から送出される情報信号であることを特徴とする。
【００１４】
さらに、上記ファクシミリ装置において、上記ファクシミリ装置は、上記ＩＰ網に接続されたターミナルアダプタ装置又はゲートウェイ装置に接続されるインターフェース回路をさらに備え、
上記制御手段は、上記発呼処理において網側から受信される情報信号を、上記ＩＰ網に接続されたターミナルアダプタ装置又はゲートウェイ装置から、上記インターフェース回路を介して受信することを特徴とする。
【００１５】
ここで、上記ファクシミリ装置において、上記インターフェース回路は、ＬＡＮインターフェース回路であることを特徴とする。
【発明の効果】
【００１６】
従って、本発明に係るファクシミリ装置によれば、相手先のファクシミリ装置に対する発呼処理において網側から受信される情報信号に基づいて、上記相手先のファクシミリ装置がＩＰ網経由で接続されるか否かを判断し、ＩＰ網経由で接続されると判断したとき、上記Ｖ．３４モードのファクシミリ送信処理を無効に設定し、上記Ｖ．３４モードのファクシミリ送信処理よりも低速のモードのファクシミリ送信処理を実行するように制御する。従って、ＰＬＣ機能付きゲートウェイ装置及びＩＰ網を介してファクシミリ通信を行う場合であっても、相手先がＩＰ網を介して接続されていることを正確に確認でき、しかもトラブルなしでファクシミリ通信の通信手順を適正に継続することができる。これにより、通信エラーの発生により極端に通信時間がかかることを防止できる。
【００１７】
また、上記ファクシミリ送信処理において、画像データの送信前の通信速度が画像データの送信後の通信速度よりも遅いときは、画像データの送信後の通信速度を上記通信開始速度として上記通信履歴テーブルに記憶した後、次のファクシミリ送信処理において当該通信履歴テーブルに記憶された通信開始速度を用いてファクシミリ通信を行う。従って、次回の同一の宛先へのファクシミリ送信処理においても、トラブルなしでファクシミリ通信の通信手順を適正に継続することができる。これにより、通信エラーの発生により極端に通信時間がかかることを防止できる。
【発明を実施するための最良の形態】
【００１８】
以下、図面を参照して本発明に係る実施形態について説明する。
【００１９】
＜実施形態＞
図１は、本発明に係る実施形態である、ＳＩＰサーバ装置５３からの情報信号に基づいてＩＰ網経由のときにＶ．３４モードを無効にする制御機能を有するファクシミリ装置２０の構成を示すブロック図であり、図３は実施形態において、ファクシミリ装置２０が公衆電話網３０及びＩＰ網５０を介して相手先のファクシミリ装置２０Ａに接続されているときの回線構成図である。本実施形態においても、ファクシミリ装置２０は、図３に示すように、ＩＰ網５０及び公衆電話網３０を介して相手先のファクシミリ装置２０Ａに接続されている場合を想定しているが、公衆電話網３０のみを介して相手先のファクシミリ装置２０Ａに接続されてファクシミリ通信を行ってもよいことは周知の通りである。
【００２０】
この実施形態のファクシミリ装置２０は、ＩＴＵ−Ｔ勧告のＶ．３４モード及びそれよりも低速のＶ．１７モードなどの低速のモードでファクシミリ通信を行うことができる、いわゆるスーパーＧ３のファクシミリ装置である。ファクシミリ装置２０の主制御部１は、相手先のファクシミリ装置２０Ａに対する発呼処理においてＩＰ網５０側から受信される情報信号に基づいて、上記相手先のファクシミリ装置２０ＡがＩＰ網５０経由で接続されるか否かを判断し、ＩＰ網５０経由で接続されると判断したとき（図５のステップＳ３でＹＥＳ）、上記Ｖ．３４モードのファクシミリ送信処理を無効に設定し（ステップＳ７）、上記Ｖ．３４モードのファクシミリ送信処理よりも低速の所定のモードのファクシミリ送信処理を実行する（ステップＳ８）ように制御することを特徴としている。
【００２１】
また、ファクシミリ装置２０は、宛先毎にファクシミリ通信の通信開始速度を含む通信履歴テーブル７ａを記憶するＲＡＭ７を備え、主制御部１は、ファクシミリ送信処理において、画像データの送信前の通信速度が画像データの送信後の通信速度よりも遅いときは（図６のステップＳ１５でＹＥＳ）、画像データの送信後の通信速度を上記通信開始速度として上記通信履歴テーブルに記憶した（ステップＳ１６）後、次のファクシミリ送信処理において当該通信履歴テーブルに記憶された通信開始速度を用いてファクシミリ通信を行う（ステップＳ４−Ｓ６）。
【００２２】
なお、上記発呼処理においてＩＰ網５０側から受信される情報信号は、上記ＩＰ網５０に接続されたＳＩＰサーバ装置５３から送出される情報信号であり、主制御部１は、上記情報信号をＳＩＰサーバ装置５３から、上記ＩＰ網５０に接続されたＶｏＩＰターミナルアダプタ装置６０（又はＶｏＩｐゲートウェイ装置ともいう。）から、例えばＬＡＮインターフェース回路１４を介して受信する。
【００２３】
図１において、ファクシミリ装置２０は、従来のＧ３方式等のファクシミリ通信機能を備えるとともに、ＳＩＰサーバ装置５３からの情報信号に基づいてＩＰ網経由のときにＶ．３４モードを無効にする制御機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００２４】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２５】
ＲＯＭ６は、当該ファクシミリ装置２０の動作に必要であって主制御部１によって実行される種々のソフトウェアのプログラムを予め格納し、ここで、当該プログラムは、少なくとも図５及び図６のファクシミリ発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。ここで、ＲＡＭ７は、宛先電話番号毎に通信開始速度の設定値を格納してなる図４の通信履歴テーブル７ａを記憶する。
【００２６】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２７】
以上のように構成された本実施形態のファクシミリ装置２０は、通常のＧ３方式等のファクシミリ通信機能に加えて、ＳＩＰサーバ装置５３からの情報信号に基づいてＩＰ網経由のときにＶ．３４モードを無効にする制御機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２８】
さらに、高速でファクシミリ通信などのデータ通信が可能なＶ．３４モードの通信手順について説明する。ファクシミリ装置などの通信端末装置でデータ通信を行う場合には半二重方式の例えばＩＴＵ−Ｔ（国際電気通信連合−電気通信標準化部門）の勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ．３４．モードの通信手順でデータ通信を行う場合には同じく同勧告Ｖ．８通信手順で前手順を行って実際の通信速度を決定する。
【００２９】
図３は、実施形態において、ファクシミリ装置２０が公衆電話網３０及びＩＰ網５０を介して相手先のファクシミリ装置２０Ａに接続されているときの回線構成図である。図３の回路構成は、従来技術に係る図２の回路構成に比較して、ファクシミリ装置２０のＬＡＮインターフェース回路１４と、ＶｏＩＰターミナルアダプタ装置６０のＬＡＮインターフェース回路６２とが接続され、これにより、ファクシミリ装置２０がＶｏＩＰターミナルアダプタ装置６０及びＩＰ網５０を介して相手先のファクシミリ装置２０Ａに対して発呼するときに、ＳＩＰサーバ装置５３から送信されてくるレスポンスメッセージの情報信号を、ファクシミリ装置２０が受信することができる。
【００３０】
例えばＳＩＰによるシグナリング制御では（例えば、非特許文献２参照。）、クライアント装置（ＵＡＣ）であるファクシミリ装置２０がＩＰ電話で発呼するとき、まず、相手先のファクシミリ装置２０Ａの電話番号情報を含むＩＮＶＩＴＥメソッドをリクエストメッセージとしてＳＩＰサーバ装置５３に送信して発呼要求を行う。これに応答して、ＳＩＰサーバ装置５３はロケーションサーバ装置５４に対して相手先のファクシミリ装置２０Ａの場所を問い合わせ、この情報に基づいて、相手先のファクシミリ装置２０Ａの属するサーバ装置（ＵＡＳ；図示せず。）に対して、同様にＩＮＶＩＴＥメソッドを用いてリクエストメッセージを用いて送信する。通常の場合においては、これに受信したサーバ装置（ＵＡＳ）は相手先のファクシミリ装置２０Ａのベル鳴動を行い、ＳＩＰサーバ装置５３に対してステータスコード「１８０」の呼び出し中というレスポンスメッセージを用いて応答する。また、ＳＩＰサーバ装置５３はこれをＶｏＩＰターミナルアダプタ装置６０を介してファクシミリ装置２０に中継し、ファクシミリ装置２０に対してレスポンスメッセージを用いて応答する。一方、相手先のファクシミリ装置２０Ａがオフフックしたときに、ステータスコード「２００」のＯＫというレスポンスメッセージ（上述のＳＩＰサーバ装置５３からの情報信号に対応する。）をＳＩＰサーバ装置５３経由でファクシミリ装置２０に応答する。そして、ファクシミリ装置２０がＳＩＰサーバ装置５３経由で「ＡＣＫ」メソッドのメッセージをサーバ装置（ＵＡＳ）に送信し、これをサーバ装置（ＵＡＳ）が受信したときに、通話が開始される。
【００３１】
なお、通話切断するときは、ＢＹＥメソッドをリクエストメッセージとしてＳＩＰサーバ装置５３経由で相手先のファクシミリ装置２０Ａに送信し、相手先のＳＩＰサーバ装置（ＵＡＳ）からステータスコード「２００」のＯＫというレスポンスメッセージを受信したときに、セッション終了となる。この動作は、通話を行ういずれかのファクシミリ装置２０又は２０Ａが要求することで実行可能である。
【００３２】
図５は図１のファクシミリ装置２０の主制御部１によって実行されるファクシミリ発信処理を示すフローチャートである。
【００３３】
図５のステップＳ１において、相手先の宛先電話番号は例えば０５０などの“０Ａ０”番号体系であるか否かが判断され、ＹＥＳのときはステップＳ７に進む一方、ＮＯのときはステップＳ２に進む。ステップＳ２において発呼処理を開始し、ステップＳ３において接続されているＩＰ網５０内のＳＩＰサーバ装置５３から情報信号を受信したか否かが判断され、ＹＥＳのときはステップＳ４進む一方、ＮＯのときはステップＳ８に進む。次いで、ステップＳ４において、通信履歴テーブル７ａにおいて当該宛先について過去の通信履歴があるか否かが判断され、ＹＥＳのときはステップＳ５に進む一方、ＮＯのときはステップＳ７に進む。ステップＳ７では、自機送信能力のＶ．３４モードを無効にし、例えばＶ．１７などのより低速のモードに設定し、ステップＳ８に進む。一方、ステップＳ５では、通信履歴テーブル７ａの当該宛先の属性に開始速度の指定があるか否かが判断され、ＹＥＳのときはステップＳ６に進む一方、ＮＯのときはステップＳ７に進む。ステップＳ６において自機送信能力を当該属性に指定されている通信開始速度に設定した後、ステップＳ８に進む。さらに、ステップＳ８では、図６のファクシミリ送信処理を実行し、ステップＳ９で回線開放して当該ファクシミリ発信処理を終了する。
【００３４】
図６は図５のサブルーチンであるファクシミリ送信処理（Ｓ８）を示すフローチャートである。
【００３５】
図６のステップＳ１１においては、現在の最大通信能力（最大通信速度を含む。）をＲＡＭ７に一時的に記憶し、ステップＳ１２において画像データ送信前のハンドシェーク処理を実行し、ステップＳ１３において画像データの送信処理を実行し、ステップＳ１４において画像データ送信後のハンドシェーク処理を実行する。そして、ステップＳ１５において、画像データ送信後の最終通信速度は、画像データ送信前の最大通信速度と比較して異なるか否か、すなわち低速に変更されたか否かが判断され、ＹＥＳのときはステップＳ１６に進む一方、ＮＯのときはそのまま元のメインルーチンに戻る。ステップＳ１６において通信履歴テーブル７ａの宛先属性に最終通信速度を開始通信速度として設定して記憶した後、元のメインルーチンに戻る。
【００３６】
以上説明したように、ファクシミリ装置２０の主制御部１は、相手先のファクシミリ装置２０Ａに対する発呼処理においてＩＰ網５０側から受信される情報信号に基づいて、上記相手先のファクシミリ装置２０ＡがＩＰ網５０経由で接続されるか否かを判断し、ＩＰ網５０経由で接続されると判断したとき（図５のステップＳ３でＹＥＳ）、上記Ｖ．３４モードのファクシミリ送信処理を無効に設定し（ステップＳ７）、上記Ｖ．３４モードのファクシミリ送信処理よりも低速の所定のモードのファクシミリ送信処理を実行する（ステップＳ８）ように制御する。従って、ＰＬＣ機能付きゲートウェイ装置４０及びＩＰ網５０を介してファクシミリ通信を行う場合であっても、相手先がＩＰ網５０を介して接続されていることを正確に確認でき、しかもトラブルなしでファクシミリ通信の通信手順を適正に継続することができる。これにより、通信エラーの発生により極端に通信時間がかかることを防止できる。
【００３７】
また、ファクシミリ装置２０の主制御部１は、ファクシミリ送信処理において、画像データの送信前の通信速度が画像データの送信後の通信速度よりも遅いときは（図６のステップＳ１５でＹＥＳ）、画像データの送信後の通信速度を上記通信開始速度として上記通信履歴テーブルに記憶した（ステップＳ１６）後、次のファクシミリ送信処理において当該通信履歴テーブルに記憶された通信開始速度を用いてファクシミリ通信を行う（ステップＳ４−Ｓ６）。従って、次回の同一の宛先へのファクシミリ送信処理においても、トラブルなしでファクシミリ通信の通信手順を適正に継続することができる。これにより、通信エラーの発生により極端に通信時間がかかることを防止できる。
【００３８】
＜変形例＞
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【産業上の利用可能性】
【００３９】
以上詳述したように、本発明に係るファクシミリ装置によれば、相手先のファクシミリ装置に対する発呼処理において網側から受信される情報信号に基づいて、上記相手先のファクシミリ装置がＩＰ網経由で接続されるか否かを判断し、ＩＰ網経由で接続されると判断したとき、上記Ｖ．３４モードのファクシミリ送信処理を無効に設定し、上記Ｖ．３４モードのファクシミリ送信処理よりも低速のモードのファクシミリ送信処理を実行するように制御する。従って、ＰＬＣ機能付きゲートウェイ装置及びＩＰ網を介してファクシミリ通信を行う場合であっても、相手先がＩＰ網を介して接続されていることを正確に確認でき、しかもトラブルなしでファクシミリ通信の通信手順を適正に継続することができる。これにより、通信エラーの発生により極端に通信時間がかかることを防止できる。
【００４０】
また、上記ファクシミリ送信処理において、画像データの送信前の通信速度が画像データの送信後の通信速度よりも遅いときは、画像データの送信後の通信速度を上記通信開始速度として上記通信履歴テーブルに記憶した後、次のファクシミリ送信処理において当該通信履歴テーブルに記憶された通信開始速度を用いてファクシミリ通信を行う。従って、次回の同一の宛先へのファクシミリ送信処理においても、トラブルなしでファクシミリ通信の通信手順を適正に継続することができる。これにより、通信エラーの発生により極端に通信時間がかかることを防止できる。
【図面の簡単な説明】
【００４１】
【図１】本発明に係る実施形態である、ＳＩＰサーバ装置５３からの情報信号に基づいてＩＰ網経由のときにＶ．３４モードを無効にする制御機能を有するファクシミリ装置２０の構成を示すブロック図である。
【図２】従来技術において、ファクシミリ装置２０が公衆電話網３０及びＩＰ網５０を介して相手先のファクシミリ装置２０Ａに接続されているときの回線構成図である。
【図３】実施形態において、ファクシミリ装置２０が公衆電話網３０及びＩＰ網５０を介して相手先のファクシミリ装置２０Ａに接続されているときの回線構成図である。
【図４】図１のＲＡＭ７内に格納される通信履歴テーブル７ａの一例を示す図である。
【図５】図１のファクシミリ装置２０の主制御部１によって実行されるファクシミリ発信処理を示すフローチャートである。
【図６】図５のサブルーチンであるファクシミリ送信処理（Ｓ８）を示すフローチャートである。
【符号の説明】
【００４２】
１…主制御部、
２…画像読取部、
３…画像記録部、
４…表示部、
５…操作部、
６…ＲＯＭ、
７…ＲＡＭ、
７ａ…通信履歴テーブル、
８…画像メモリ、
１０…ファックスモデム、
１１，１１Ａ…ＮＣＵ、
１２…ＬＡＮインターフェース回路、
１３…バス、
２０，２０Ａ…ファクシミリ装置、
３０…公衆電話網、
４０…メディアゲートウェイ装置、
４１…ＮＣＵ、
５０…ＩＰ網、
５１，５２…ルータ装置、
５３…ＳＩＰサーバ装置、
５４…ロケーションサーバ装置、
６０…ＶｏＩＰターミナルアダプタ装置、
６１…ＮＣＵ、
６２…ＬＡＮインターフェース回路、
Ｌ…公衆電話回線。
【図１】
2007043420.tif 000003
【図２】
2007043420.tif 000004
【図３】
2007043420.tif 000005
【図４】
2007043420.tif 000006
【図５】
2007043420.tif 000007
【図６】
2007043420.tif 000008